(57)【要約】【課題】  両面プリントを確実に実行すること。【解決手段】  画像形成装置は、プリントジョブを受信して記憶しておく記憶部５１５と、記憶したプリントジョブに従って、用紙に画像を形成するプリンタ部５３０と、用紙を識別するための識別情報を取得する識別情報取得部５１３と、プリントジョブに含まれる両面プリント指示を検出し、用紙の表面に画像を形成するための第１プリントデータと裏面に画像を形成するための第２プリントデータとを決定して付加情報を生成する付加情報生成部５１４と、第１プリントデータを用紙の表面に画像形成して、用紙の識別情報と付加情報とを関連付けて記憶する記憶部５１５とを備え、識別情報取得部５１３により取得された識別情報に関連する付加情報を記憶部５１５から抽出した場合に、該付加情報で特定される第１プリントデータに対応する第２プリントデータをその用紙の裏面に画像形成する。【選択図】        図４
2005115688.tif 000002
【特許請求の範囲】
【請求項１】
プリントジョブを受信して記憶しておくプリントジョブ記憶手段と、
前記記憶されたプリントジョブに従って、記録媒体に画像を形成する画像形成手段と、
前記記録媒体を識別するための識別情報を取得する識別情報取得手段と、
前記プリントジョブに含まれる両面プリント指示を検出し、前記記録媒体の一方の面に画像を形成するための第１プリントデータと他方の面に画像を形成するための第２プリントデータとを決定して付加情報を生成する付加情報生成手段と、
前記第１プリントデータを前記記録媒体の一方の面に画像形成して、前記記録媒体の識別情報と前記付加情報とを関連付けて記憶する付加情報記憶手段とを備え、
前記画像形成手段は、前記識別情報取得手段により取得された識別情報に関連する付加情報を前記関連データ記憶手段から抽出した場合に、該付加情報で特定される前記第１プリントデータに対応する前記第２プリントデータを前記記録媒体の他方の面に画像形成する、画像形成装置。
【請求項２】
前記画像形成手段に供給される前記記録媒体の供給方向を検出する供給方向検出手段をさらに備え、
前記付加情報は、第１プリントデータが画像形成された前記記録媒体のプリント方向を含み、
前記画像形成手段は、前記検出された供給方向と前記抽出された付加情報に含まれる前記プリント方向とに基づき、前記第２のプリントデータのプリント方向を決定する、請求項１に記載の画像形成装置。
【請求項３】
前記画像形成手段に供給される前記記録媒体に画像が形成される面が、第１の面か第２の面かを検出する面方向検出手段をさらに備え、
前記付加情報は、第１プリントデータが前記記録媒体に画像形成された面方向を含み、
画像形成手段は、前記検出された面方向が前記第１プリントデータの画像形成された面方向である場合に警告する警告手段を含む、請求項１に記載の画像形成装置。
【請求項４】
前記画像形成手段は、前記識別情報取得手段により取得された前記識別情報に関連する付加情報を前記関連データ記憶手段から抽出した場合に、前記抽出された付加情報から前記第１プリントデータおよび前記第２のプリントデータを特定できない場合には、警告を発生する警告発生手段を含む、請求項１に記載の画像形成装置。
【請求項５】
前記識別情報は、前記記録媒体に付された半導体装置に記憶される、請求項１に記載の画像形成装置。
【請求項６】
プリントジョブを受信して記憶しておくステップと、
前記記憶されたプリントジョブに従って、記録媒体に画像を形成する指示を出力するステップと、
前記記録媒体を識別するための識別情報を取得するステップと、
前記プリントジョブに含まれる両面プリント指示を検出し、前記記録媒体の一方の面に画像形成する第１プリントデータと他方の面に画像形成する第２プリントデータとを決定して付加情報を生成するステップと、
前記第１プリントデータを前記記録媒の一方の面に画像形成する指示を出力して、前記記録媒体の識別情報と前記付加情報とを関連付けて記憶するステップと、
前記取得された識別情報に関連する付加情報が既に記憶されている場合に、該付加情報で特定される前記第１プリントデータに対応する前記第２プリントデータを前記記録媒体の他方の面に画像形成する指示を出力するステップとをコンピュータに実行させる、画像形成プログラム。
【請求項７】
与えられた電子データに従って、前記記録媒体に画像を形成する指示を出力する画像形成指示手段と、
記録媒体を識別するための識別情報を取得する識別情報取得手段と、
前記電子データに従って画像が形成された記録媒体の識別情報が取得されたことに応じて、前記電子データおよび前記識別情報に関連付けて、イベントに対応した動作を記述した付加情報を記憶する付加情報記憶手段と、
前記識別情報取得手段により取得された識別情報が第１の電子データおよび第１の付加情報に関連付けて前記付加情報記憶手段に記憶されているか否かを検出する検出手段と、
前記検出手段により記憶されていることが検出された場合、第２の電子データに従った画像形成指示の出力に基づいて、前記第２の電子データおよび前記識別情報に関連付けて、第２の付加情報を記憶するように前記付加情報記憶手段を制御する制御手段とを備えた、情報管理装置。
【請求項８】
前記付加情報記憶手段は、前記第１の電子データおよび第１の付加情報を削除するように制御される、請求項７に記載の情報管理装置。
【請求項９】
イベントの発生を検出するイベント検出手段と、
前記イベント検出手段によるイベントの検出に応じて、前記識別情報取得手段により取得された識別情報に関連して記憶されている前記第２の付加情報を読出す読出手段と、
前記読出された第２の付加情報に記述されているイベントのうち、前記検出されたイベントに対応した動作を実行する実行手段とをさらに備えた、請求項７に記載の情報管理装置。
【発明の詳細な説明】
【技術分野】
【０００１】
この発明は、画像形成装置、画像形成プログラムおよび情報管理装置に関し、特に、両面プリントする際の操作性を向上した画像形成装置および画像形成プログラムに関する。また、裏紙を利用して事情の変化に対応した動作を実行する情報管理装置に関する。
【背景技術】
【０００２】
順番の定まった複数の頁からなるプリントデータを用紙の両面にプリントする機能を備えたプリンタは、表面をプリントした用紙を反転させる機構を有している。このような反転機構を有しないプリンタで両面プリントする際には、まず、用紙の片面（表面）をプリントしておき、表面にプリントされた用紙を裏面にプリントするために、用紙の表裏を逆にして給紙口に再度セットして、他方の面（裏面）にプリントすることがなされている。  
【０００３】
しかしながら、両面プリントする際に、用紙を反転してセットした後、裏面にプリントする指示を入力する前に、他のプリントデータの印刷指示があった場合には、ユーザが苦労してセットした用紙に、表面にプリントされた画像とは関連のない画像がプリントされてしまうといった問題がある。
【０００４】
これは、用紙にプリントされた情報は、情報そのものの内容を示し、その用紙を見る者に対して情報を伝達することができるが、電子データが一度用紙にプリントされた後は、その用紙にプリントされた情報と、その情報の元となる電子データとは関係がなくなってしまうからである。
【０００５】
特開平９−９１３９１号公報（特許文献１）には、あらかじめ特定の単語，文章，シンボルまたはグラフィックに関連する情報を関連情報ファイルとして記憶したファイル手段と、単語，文章，シンボル，グラフィックの何れかからなる少なくとも一つの記載情報，前記記載情報と前記ファイル手段の関連情報ファイルとを連結させるための連結情報および前記記載情報の中から特定の記載情報を選択するための選択情報が記録された媒体用紙と，前記選択情報および連結情報を前記媒体用紙から読み取る読取手段と，前記読取手段で読み取った選択情報および連結情報に基づいて，前記ファイル手段から該当する関連情報ファイルを検索する検索手段と，前記検索手段によって検索した関連情報ファイルを出力する出力手段とを備えた、文書情報管理システムが記載されている。
【特許文献１】特開平９−９１３０１号公報
【発明の開示】
【発明が解決しようとする課題】
【０００６】
特開平９−９１３０１号公報に記載の文書情報管理システムでは、媒体用紙に記録された連結情報により、媒体用紙に記録された連結情報とファイル手段に記憶された関連情報ファイルとを関連付けることができる。しかしながら、連結情報は媒体用紙に画像として形成されるものであるため、媒体用紙の表面と裏面のいずれに画像形成されてもよく、表面に形成される連結情報と裏面に形成される連結情報とには関連がない。このため、上述した問題点を解決することはできない。
【０００７】
また、特開平９−９１３９１号公報に記載の文書情報管理システムでは、媒体用紙に記録された連結情報と関連情報ファイルとは、連結情報が媒体用紙に記録された後は、変更されることがない。このため、媒体用紙に連結情報が記録された後に生じる事情の変化に対応することができない。特に、ユーザが、表面に画像がプリントされた用紙を再利用して裏面に新たに画像をプリントする場合には、ユーザは表面に形成された画像を不用と判断しているのであるが、特開平９−９１３９１号公報では、不用とされた表面の画像に連結情報が含まれている場合には、その連結情報はいつまでも関連ファイルとの関連が保たれた状態となってしまう。このため、ユーザが、紙資源節約等のために媒体用紙を再利用するという、連結情報が記録された後に生じる事情の変化に対応することができない。
【０００８】
この発明は上述した目的を達成するために為されたもので、この発明の目的の１つは、両面プリントを確実に実行することが可能な画像形成装置および画像形成プログラムを提供することである。
【０００９】
この発明の他の目的は、一度画像が形成された記録媒体記録媒体をトリガーとして、所望の動作を実行させることが可能な情報管理装置を提供することである。
【課題を解決するための手段】
【００１０】
上述した目的を達成するためにこの発明のある局面によれば、画像形成装置は、プリントジョブを受信して記憶しておくプリントジョブ記憶手段と、記憶されたプリントジョブに従って、記録媒体に画像を形成する画像形成手段と、記録媒体を識別するための識別情報を取得する識別情報取得手段と、プリントジョブに含まれる両面プリント指示を検出し、記録媒体の一方の面に画像を形成するための第１プリントデータと他方の面に画像を形成するための第２プリントデータとを決定して付加情報を生成する付加情報生成手段と、第１プリントデータを記録媒体の一方の面に画像形成して、記録媒体の識別情報と付加情報とを関連付けて記憶する付加情報記憶手段とを備え、画像形成手段は、識別情報取得手段により取得された識別情報に関連する付加情報を関連データ記憶手段から抽出した場合に、該付加情報で特定される第１プリントデータに対応する第２プリントデータを記録媒体の他方の面に画像形成する。
【００１１】
この発明に従えば、プリントジョブを受信して記憶し、そのプリントジョブに従って、記録媒体に画像が形成される。この際、プリントジョブに含まれる両面プリント指示を検出し、記録媒体の一方の面にプリントする第１プリントデータと他方の面にプリントする第２プリントデータとを決定して付加情報を生成し、第１プリントデータを記録媒体の一方の面にプリントして、記録媒体の識別情報と付加情報とを関連付けて記憶する。そして、次に記録媒体が供給されたとき、記録媒体の識別情報に関連する付加情報が関連データ記憶手段から抽出される場合には、該付加情報で特定される第１プリントデータに対応する第２プリントデータを記録媒体の他方の面にプリントする。このため、両面プリントする際に、一方の面に画像が形成された記録媒体を供給するだけで、一方の面に対応する他方の面の画像が形成される。その結果、両面プリントを確実に実行することが可能な画像形成装置を提供することができる。
。
【００１２】
好ましくは、画像形成手段に供給される記録媒体の供給方向を検出する供給方向検出手段をさらに備え、付加情報は、第１プリントデータが画像形成された記録媒体のプリント方向を含み、画像形成手段は、検出された供給方向と抽出された付加情報に含まれるプリント方向とに基づき、第２のプリントデータのプリント方向を決定する。
【００１３】
この発明に従えば、供給される記録媒体の供給方向が検出され、検出された供給方向と第１プリントデータが画像形成された記録媒体のプリント方向とに基づき、第２のプリントデータのプリント方向が決定される。このため、記録媒体の供給方向に合わせて、第２のプリントデータが画像形成される。ユーザは、記録媒体の供給方向を意識することなく記録媒体を供給することができる。
【００１４】
好ましくは、画像形成手段に供給される記録媒体に画像が形成される面が、第１の面か第２の面かを検出する面方向検出手段をさらに備え、付加情報は、第１プリントデータが記録媒体に画像形成された面方向を含み、画像形成手段は、検出された面方向が第１プリントデータの画像形成された面方向である場合に警告する警告手段を含む。
【００１５】
この発明に従えば、供給される記録媒体に画像が形成される面が、第１の面か第２の面かが検出され、検出された面方向が第１プリントデータの画像形成された面方向となる場合に警告する。このため、記録媒体に既に画像が形成されている面に画像が形成されるのを防止することができる。
【００１６】
好ましくは、画像形成手段は、識別情報取得手段により取得された識別情報に関連する付加情報を関連データ記憶手段から抽出した場合に、抽出された付加情報から第１プリントデータおよび第２のプリントデータを特定できない場合には、警告を発生する警告発生手段を含む。
【００１７】
この発明に従えば、取得された識別情報に関連する付加情報が既に記憶されており、かつ、該付加情報から第１プリントデータおよび第２のプリントデータを特定できないときは、警告が発生される。このため、第１のプリントデータが画像形成された記録媒体の裏面に、第１のプリントデータとは関係のない別のプリントデータが画像形成されることがない。
【００１８】
好ましくは、識別情報は、記録媒体に付された半導体装置に記憶される。
【００１９】
この発明に従えば、識別情報は、記録媒体に付された半導体装置に記憶されるので、識別情報を確実に取得することができる。
【００２０】
この発明の他の局面に従えば、画像形成プログラムは、プリントジョブを受信して記憶しておくステップと、記憶されたプリントジョブに従って、記録媒体に画像を形成する指示を出力するステップと、記録媒体を識別するための識別情報を取得するステップと、プリントジョブに含まれる両面プリント指示を検出し、記録媒体の一方の面に画像形成する第１プリントデータと他方の面に画像形成する第２プリントデータとを決定して付加情報を生成するステップと、第１プリントデータを記録媒の一方の面に画像形成する指示を出力して、記録媒体の識別情報と付加情報とを関連付けて記憶するステップと、取得された識別情報に関連する付加情報が既に記憶されている場合に、該付加情報で特定される第１プリントデータに対応する第２プリントデータを記録媒体の他方の面に画像形成する指示を出力するステップとをコンピュータに実行させる。
【００２１】
この発明に従えば、両面プリントを確実に実行することが可能な画像形成プログラムを提供することができる。
【００２２】
この発明の他の局面に従えば、情報管理装置は、与えられた電子データに従って、記録媒体に画像を形成する指示を出力する画像形成指示手段と、記録媒体を識別するための識別情報を取得する識別情報取得手段と、電子データに従って画像が形成された記録媒体の識別情報が取得されたことに応じて、電子データおよび識別情報に関連付けて、イベントに対応した動作を記述した付加情報を記憶する付加情報記憶手段と、識別情報取得手段により取得された識別情報が第１の電子データおよび第１の付加情報に関連付けて付加情報記憶手段に記憶されているか否かを検出する検出手段と、検出手段により記憶されていることが検出された場合、第２の電子データに従った画像形成指示の出力に基づいて、第２の電子データおよび識別情報に関連付けて、第２の付加情報を記憶するように付加情報記憶手段を制御する制御手段とを備える。
【００２３】
この発明に従えば、記録媒体に画像を形成する指示が出力されると、電子データに従って画像が形成された記録媒体の識別情報が取得されたことに応じて、電子データおよび識別情報に関連付けてイベントに対応した動作を記述した付加情報が記憶される。このため、同一の電子データを画像形成した記録媒体であっても、記録媒体ごとに異なる動作をイベントに対応つけることができる。また、取得された識別情報が第１の電子データおよび第１の付加情報に関連付けて記憶されていることが検出された場合、第２の電子データに従った画像形成指示の入力に基づいて、第２の電子データおよび識別情報に関連付けて、第２の付加情報が記憶される。このため、一度画像が形成された記録媒体を再利用する場合であっても、新たに付加情報を関連付けることができる。その結果、一度画像が形成された記録媒体記録媒体をトリガーとして、所望の動作を実行させることが可能な情報管理装置を提供することができる。
【００２４】
好ましくは、付加情報記憶手段は、第１の電子データおよび第１の付加情報を削除するように制御される。
【００２５】
この発明に従えば、第１の電子データおよび第１の付加情報が削除される。このため、記録媒体に第２の付加情報のみが関連付けられる。
【００２６】
好ましくは、イベントの発生を検出するイベント検出手段と、イベント検出手段によるイベントの検出に応じて、識別情報取得手段により取得された識別情報に関連して記憶されている第２の付加情報を読出す読出手段と、読出された第２の付加情報に記述されているイベントのうち、検出されたイベントに対応した動作を実行する実行手段とをさらに備える。
【００２７】
この発明に従えば、イベントの検出に応じて、記録媒体の識別情報に関連して記憶されている第２の付加情報が読出され、第２の付加情報に記述されているイベントのうち、イベントに対応した動作が実行される。
【発明を実施するための最良の形態】
【００２８】
以下、図面を参照しつつ本発明の実施の形態について説明する。以下の説明では、同一の部品には同一の符号を付してある。それらの名称および機能も同じである。したがってそれらについての詳細な説明は繰返さない。
【００２９】
［第１の実施の形態］
図１は、本発明の第１の実施の形態におけるプリントシステムの全体概要を示す図である。図１を参照して、プリントシステム５００は、ネットワーク５０３にそれぞれ接続された複合機５０１（以下、「ＭＦＰ５０１」という）と、ユーザ用コンピュータ５０４Ａ，５０４Ｂとを含む。ユーザ用コンピュータ５０４Ａ，５０４Ｂは、一般的なパーソナルコンピュータである。図では、１台のＭＦＰ５０１と２台のユーザ用コンピュータ５０４Ａ，５０４Ｂとを接続する例を説明するが、複数のＭＦＰと複数のユーザ用コンピュータがネットワーク５０３に接続されてもよい。
【００３０】
本実施の形態において、用紙とは、ＭＦＰ５０１で画像形成される記録媒体である。その用紙は、ＩＣ（Integrated circuit）タグを２つ含む。ＩＣタグは、それが付された用紙と他の用紙とを識別するためのユニークな識別情報を記憶する記憶装置と、後述するＩＣタグリーダ５５０Ａ，５５０Ｂと無線で通信可能な通信装置とを含んでいる。たとえば、ミューチップなどの半導体装置を用いることができる。１つの用紙に付された２つのＩＣタグには、同じ識別情報が記憶されている。また、２つのＩＣタグには、用紙に付された位置が記憶されている。ここでは、用紙の長手方向を横方向としたとき、用紙の表面の右上頂角付近と、左下頂角付近にそれぞれＩＣタグが付され、右上のＩＣタグを第１ＩＣタグ、左下のＩＣタグを第２ＩＣタグという。用紙にはＩＣタグが付されているので、ＭＦＰ５０１等の複写機能を有する装置で用紙に画像形成された情報を光学的に複写する際に、識別情報が同時に複写されない。したがって、識別情報から用紙を特定することができる。
【００３１】
ＭＦＰ（Multi Function Peripheral）５０１は、原稿を読取るためのスキャナ、画像データに基づいて紙などの記録媒体に画像を形成するための画像形成装置、ファクシミリを含み、画像読取機能、複写機能、ファクシミリ送受信機能、データをプリントするプリント機能を備えている。ＭＦＰ５０１は、ユーザ用コンピュータ５０４Ａ，５０４Ｂから受信したページ記述言語で記載されたプリントデータまたはスキャナが出力する画像データに基づいて、画像形成装置により紙などの記録媒体に画像を形成する。
【００３２】
また、ＭＦＰ５０１には、可搬で着脱可能な記憶装置であるメモリカード５０６が装着される。このメモリカード５０６に記憶された画像形成プログラムが、ＭＦＰ５０１が備える中央演算装置（ＣＰＵ）で実行される。またこのメモリカード５０６は、記憶内容を書き換えるまたは追加して書き込みすることが可能なので、ネットワーク５０３に接続された他のコンピュータが、メモリカード５０６に記憶された画像形成プログラムを書き換えたり、新たな画像形成プログラムを追加して書き込みをするようにしてもよい。さらに、ＭＦＰ５０１が、ネットワーク５０３に接続された他のコンピュータから画像形成プログラムをダウンロードして、その画像形成プログラムをメモリカード５０６に記憶するようにしてもよい。
【００３３】
ユーザ用コンピュータ５０４Ａ，５０４Ｂは、ハードディスク等に記録された文書作成プログラム、表計算プログラム、描画プログラムなどのアプリケーションプログラムを、必要に応じてＲＡＭに読出し、ＣＰＵで実行する。そして、ユーザ用コンピュータ５０４Ａ，５０４Ｂでは、それらのアプリケーションプログラムが実行されてプリントデータが生成され、ネットワーク５０３を介してＭＦＰ５０１に送信される。このプリントデータは、プリントデータに両面プリント指示等のジョブモードが付加されたプリントジョブとして送信される。
【００３４】
ネットワーク５０３は、ローカルエリアネットワーク（ＬＡＮ）、インターネットまたは一般公衆回線であり、有線または無線を問わない。また、ここではネットワーク５０３でＭＦＰ５０１とユーザ用コンピュータ５０４Ａ，５０４Ｂとが接続される例を示すが、ＭＦＰ５０１とユーザ用コンピュータ５０４Ａ，５０４Ｂとはシリアル回線またはパラレル回線を用いて接続するようにしてもよい。 
【００３５】
なお、ＭＦＰ５０１で実行される画像形成プログラムはメモリカード５０６に記憶されて流通する例を示したが、他の記録媒体、たとえば、フレキシブルディスク、カセットテープ、ＣＤ−ＲＯＭ、ハードディスク、光ディスク（ＭＯ（Magnetic Optical Disc）／ＭＤ（Mini Disc）／ＤＶＤ（Digital Versatile Disc））、ＩＣカードを含む）、光カード、マスクＲＯＭ、ＥＰＲＯＭ（erasable, programmable read-only memory）、ＥＥＰＲＯＭ（electrically erasable/programable read only memory）などの半導体メモリ等の固定的にプログラムを担持する媒体でもよい。
【００３６】
また、ここでいうプログラムは、ＣＰＵにより直接実行可能なプログラムだけでなく、ソースプログラム形式のプログラム、圧縮処理されたプログラム、暗号化されたプログラム等を含む概念である。
【００３７】
図２は、本実施の形態におけるＭＦＰの概略構成を示す模式的断面図である。図２を参照して、ＭＦＰ５０１は、原稿から画像データを読取るイメージリーダ部５２０と、ＭＦＰ５０１の全体を制御する制御部５１０と、用紙上に画像を印刷するプリンタ部５３０と、ＭＦＰ５０１をネットワーク３に接続するための通信部５６０とを含む。
【００３８】
ＭＦＰ５０１は、ユーザ用コンピュータ５０４Ａ，５０４Ｂからプリントデータを受信する。このため、制御部５１０は、通信部５６０でネットワーク５０３を介してユーザ用コンピュータ５０４Ａ，５０４Ｂと通信する。制御部５１０は、ユーザ用コンピュータ５０４Ａ，５０４Ｂからページ記述言語で記述されたプリントデータを受信する。制御部５１０では、受信したプリントデータをビットマップの画像データに変換する。
【００３９】
また、ＭＦＰ５０１は、イメージリーダ部５２０で原稿を読取り、制御部５１０に画像データが入力される。イメージリーダ部５２０の原稿台５２５上に載置された原稿は、スキャナ５２４の備える露光ランプ５２３により照射される。スキャナ５２４は、スキャナモータ５２８により矢印方向に移動して原稿全体を走査する。原稿面からの反射光は、ミラー５２６，５２７，５２２および集光レンズを介してＣＣＤ（Charge Coupled Device）５２１上に像を結ぶ。ＣＣＤ５２１は、原稿面からの反射光をＲＧＢの色データ（アナログ信号）に変換して制御部５１０に出力する。ＣＣＤ５２１が制御部５１０に出力する色データが画像データである。
【００４０】
制御部５１０は、ユーザ用コンピュータ５０４Ａ，５０４Ｂから受信したプリントデータから得られる画像データまたはイメージリーダ部５２０から入力された画像データに所定の画像処理を施してプリンタ部５３０のレーザ装置５３１にデジタル信号を出力する。
【００４１】
ここで制御部５１０からレーザ装置５３１に出力されるデジタル信号は、シアン用の画像色データＣと、マゼンタ用の画像色データＭと、イエロー用の画像色データＹと、ブラック用の画像色データＫである。レーザ装置５３１は、入力された画像色データＣ，Ｍ，Ｙ，Ｋに基づいて、シアン、マゼンタ、イエロー、ブラックそれぞれの感光体ドラム５３４Ｃ，５３４Ｍ，５３４Ｙ，５３４Ｋにレーザビームを出力する。
【００４２】
プリンタ部５３０において、レーザ装置５３１から出力されるレーザビームは、帯電チャージャ５３２Ｃ，５３２Ｍ，５３２Ｙ，５３２Ｋによって帯電された感光体ドラム５３４Ｃ，５３４Ｍ，５３４Ｙ，５３４Ｋを露光し、静電潜像を形成する。シアン、マゼンタ、イエロー、およびブラックの４色の現像器５３３Ｃ，５３３Ｍ，５３３Ｙ，５３３Ｋにより、感光体ドラム５３４Ｃ，５３４Ｍ，５３４Ｙ，５３４Ｋ上の静電潜像が現像される。
【００４３】
一方、無端ベルト５３９は、駆動ローラ５３７Ａと固定ローラ５３７Ｂ，５３７Ｃ，５３７Ｄとにより弛まないように懸架されている。駆動ローラ５３７Ａが図中で反時計回りに回転すると、無端ベルト５３９が所定速度で図中で反時計回りに回転する。
【００４４】
給紙カセット５４０Ａ，５４０Ｂ，５４０Ｃより適当な用紙が搬送され、タイミングローラ５３８から無端ベルト５３９に用紙が供給される。用紙が搬送される経路のタイミングローラ５３８より前の位置に、２つの第１ＩＣタグリーダ５５０Ａ，第２ＩＣタグリーダ５５０Ｂが設けられている。ＩＣタグリーダ５５０Ａ，５５０Ｂは、用紙の進行方向に直角な方向（図面に垂直な方向）に並んで設けられている。ＩＣタグリーダ５５０Ａ，５５０Ｂは、後述するように用紙に付されたＩＣタグと通信し、用紙に付された識別情報と、そのＩＣタグの用紙上の位置情報とを受信し、制御部５１０に送信する。制御部５１０では、受信した情報とその受信タイミングから用紙の給紙方向と面方向とを検出する。
【００４５】
なお、第１ＩＣタグリーダ５５０Ａ，第２ＩＣタグリーダ５５０Ｂを給紙カセット５４０Ａ，５４０Ｂ，５４０Ｃに設け、第１ＩＣタグリーダ５５０Ａ，第２ＩＣタグリーダ５５０Ｂで用紙を一方向に一定速度で走査するようにしてもよい。そうすることで、用紙を搬送する以前の給紙カセット５４０Ａ，５４０Ｂ，５４０Ｃに用紙がある段階で、用紙の供給方向、面方向および上下方向を検出することができる。
【００４６】
無端ベルト５３９に供給された用紙は、無端ベルト５３９上に担持され、図中で左方向に搬送される。これにより、用紙がシアン、マゼンタ、イエロー、ブラックの順に感光体ドラム５３４Ｃ，５３４Ｍ，５３４Ｙ，５３４Ｋと接触する。用紙がそれぞれの感光体ドラム５３４Ｃ，５３４Ｍ，５３４Ｙ，５３４Ｋと接触したときに、感光体ドラムと対をなす転写チャージャ５３５Ｃ，５３５Ｍ，５３５Ｙ，５３５Ｋにより感光体ドラム上に現像されたトナー像が用紙に転写される。
【００４７】
トナー像が転写された用紙は、定着ローラ対５３６により加熱される。これにより、トナーは溶かされて用紙に定着する。その後、用紙はプリンタ部５３０から排出される。
【００４８】
ＭＦＰ５０１は、その上面に操作パネル５７０を備える。図３は図１のＭＦＰ５０１の備える操作パネル５７０の平面図である。図を参照して操作パネル５７０には、液晶タッチパネル５７１と、テンキー５７２と、セットされた数値を初期値に戻すためのクリアキー５７３と、割込コピーを実行するための割込キー５７４と、コピースタートキー５７５とが設けられている。
【００４９】
液晶タッチパネル５７１は、液晶表示装置と、その上に載置された透明な部材からなるタッチパネルとから構成される。タッチパネルは入力装置である。操作パネル５７０は、たとえば液晶表示装置にボタンを表示し、ユーザが表示されたボタンを押下する操作をタッチパネルで検出する。これにより、入力装置に固定されたスイッチボタンを用いる必要はなく、種々の操作の入力が可能となっている。
【００５０】
なお、本実施の形態においては、色材にトナーを用いた画像形成装置を例に説明するが、色材にインクを用いたインクジェットプリンタ等を用いてもよい。
【００５１】
なお、本実施の形態においては、ＭＦＰを例に説明するが、ファクシミリ機能、複写機能を有しない、画像形成機能のみを備えたプリンタであればよい。
【００５２】
図４は、本実施の形態におけるＭＦＰの制御部の機能の概要を示す機能ブロック図である。図を参照して、制御部５１０は、操作パネル５７０に接続され、ユーザからの所定の指示が入力されたり、またはユーザに対する所定の情報出力を行う。制御部５１０は、通信部５６０およびイメージリーダ部５２０に接続されたプリントジョブ受信部５１７と、第１ＩＣタグリーダ５５０Ａおよび第２ダグリーダ５５０Ｂにそれぞれ接続された供給方向検出部５１１および面方向検出部５１２と、第１ＩＣタグリーダ５５０Ａに接続された識別情報取得部５１３と、付加情報生成部５１４と、プリンタ部５３０に接続されたプリントデータ生成部５１６と、記憶部５１５とを含む。
【００５３】
付加情報生成部５１４とプリントデータ生成部５１６とは、供給方向検出部５１１、面方向検出部５１２、識別情報取得部、および記憶部５１５にそれぞれ接続されている。
【００５４】
供給方向検出部５１１は、第１ＩＣタグリーダ５５０Ａおよび第２ＩＣタグリーダ５５０Ｂより、用紙の識別情報およびＩＣタグが付された用紙上の位置情報が入力される。この識別情報、位置情報およびそれらが入力されるタイミング差とから用紙の供給方向を検出する。供給方向とは、用紙がその長手の方向が搬送方向に対して平行に供給される方向（縦方向）、または、長手の方向が搬送方向に対して垂直に供給される方向（横方向）である。タイミング差とは、第１ＩＣタグリーダ５５０Ａから入力されるタイミングと第２ＩＣタグリーダ５５０Ｂから入力されるタイミングの差である。供給方向検出部５１１は、検出した供給方向を付加情報生成部５１４とプリントデータ生成部５１６とに出力する。
【００５５】
面方向検出部５１２には、第１ＩＣタグリーダ５５０Ａおよび第２ＩＣタグリーダ５５０Ｂより、用紙の識別情報およびＩＣタグが付された用紙上の位置情報が入力される。この識別情報、位置情報およびそれらが入力されるタイミング差とから用紙の面方向を検出する。面方向とは、画像が形成される面に対する用紙の面をいい、表面と裏面とがある。面方向検出部５１２は、検出した面方向を付加情報生成部５１４とプリントデータ生成部５１６とに出力する。
【００５６】
識別情報取得部５１３は、第１ＩＣタグリーダ５５０Ａから識別情報を受信する。なお、第２ＩＣタグリーダ５５０Ｂから識別情報を受信するようにしてもよいし、両方から受信するようにしてもよい。識別情報取得部５１３は、受信した識別情報を、付加情報生成部５１４とプリントデータ生成部５１６とに出力する。
【００５７】
付加情報生成部５１４は、記憶部５１５に記憶されたプリントジョブに従って用紙にプリントデータを画像形成した後に、付加情報を生成する。この付加情報は、用紙ごとに生成される。このため、付加情報生成部５１４は、識別情報取得部５１３から入力される識別情報と、その識別情報で特定される用紙に画像形成する元となったプリントジョブとを関連付けた情報である。付加情報については、後で詳しく説明する。付加情報生成部５１４は、生成した付加情報を記憶部５１５に記憶する。また、付加情報生成部５１４は、記憶部に記憶された付加情報の変更も行う。
【００５８】
プリントデータ生成部５１６は、記憶部５１５に記憶されたプリントジョブに従ってプリントデータを生成する。生成したプリントデータをプリンタ部５３０に出力する。これにより、プリンタ部５３０で上述した画像形成動作が実行されて、用紙に画像が形成される。また、プリントデータ生成部５１６は、プリントジョブが両面プリントの指示を含む場合には、複数の頁の対応関係を生成する。対応関係とは、表面にプリントする頁に対応する裏面にプリントする頁との関係である。表面にプリントする頁数は、単数に限らず、複数の場合もあり得る。そして、生成した対応関係を付加情報生成部５１４に渡すために、一旦記憶部５１５に記憶する。
【００５９】
なお、ここでは、プリントデータに実行される画像処理については説明していないが、必要に応じてプリントデータには、画像形成処理が実行される。
【００６０】
図５は、本実施の形態におけるＭＦＰで生成される付加情報の一例を示す図である。図５に示す例では、全４頁分のプリントデータを、２枚の用紙それぞれの表面と裏面とにプリントする両面プリントの指示がプリントジョブに含まれている場合を例に説明する。この両面プリントの指示に従うと、１枚目の用紙の表面に第１頁のプリントデータをプリントし、その裏面に第２頁のプリントデータをプリントし、２枚目の用紙の表面に第３頁のプリントデータをプリントし、その裏面に第４頁のプリントデータをプリントすることとなる。
【００６１】
図５（Ａ）は、識別情報が「１０１０１」の１枚目の用紙の表面に第１頁をプリントし、識別情報が「１０１０２」の２枚目の用紙の表面に第３頁をプリントした後に、生成される付加情報を示している。図５（Ａ）を参照して、付加情報には、識別情報と、プリントデータのファイル名と、表面に関する情報と、裏面に関する情報とを含む。表面に関する情報および裏面に関する情報には、各面にプリントされる頁番号と、プリント方向と、その頁がプリントされたか否かを示すプリント状態とを含む。プリント方向は、用紙の長手方向を横にした横方向と用紙の長手方向を縦にした縦方向の別と、用紙の上下方向の別とがある。用紙の上下方向は、後述する用紙の右上頂角付近に配置される第１ＩＣタグ５８１Ａが用紙の上側となる方向が上方向であり、その逆が下方向である。用紙に対して縦方向でかつ上方向にプリントする場合のプリント方向を「縦上」とし、用紙に対して縦方向でかつ下方向にプリントする場合のプリント方向を「縦下」とし、用紙に対して横方向でかつ上方向にプリントする場合のプリント方向を「横上」とし、用紙に対して横方向でかつ下方向にプリントする場合のプリント方向を「横下」とする。プリント状態は、プリントされている場合に「完了」で示され、未だプリントされていない場合に「未」で示される。
【００６２】
この図５（Ａ）に示す付加情報を見れば、識別情報が「１０１０１」の用紙には、表面に第１頁が「縦上」のプリント方向でプリントされていること、および、裏面には未だプリントされていないが、第２頁がプリントされるべきであることがわかる。同様に、識別情報が「１０１０２」の用紙には、表面に第３頁が「縦上」のプリント方向でプリントされていること、および、裏面には未だプリントされていないが、第４頁がプリントされるべきであることがわかる。
【００６３】
図５（Ｂ）は、両面プリントが完了した状態における付加情報を示している。プリント状態の全てが、「完了」で示されている。この図５（Ｂ）に示す付加情報を見れば、識別情報が「１０１０１」の用紙には、表面に第１頁が「縦上」のプリント方向でプリントされていること、および、裏面に第２頁が「縦上」のプリント方向でプリントされていることがわかる。同様に、識別情報が「１０１０２」の用紙には、表面に第３頁が「縦上」のプリント方向でプリントされていること、および、裏面に第４頁が「縦上」のプリント方向でプリントされていることがわかる。
【００６４】
このように付加情報は、用紙に初めて画像が形成された後に生成されて、記憶部５１５に記憶される。そして、その用紙が再度ＭＦＰに供給されて画像形成された後に、変更される。
【００６５】
次に、別の両面プリントの例を説明する。ここでは、両面プリント指示が、「中とじ本のページ仕立て」である場合を説明する。中とじ本のページ仕立ての両面プリントとは、複数の頁を二つ折りにしたとき、中とじ本の読み取り順になるように、頁を並べ換えてプリントすることをいう。図６は、中とじ本のページ仕立ての両面プリントを説明するための図である。図６を参照して、用紙５８０Ａの表面には、その左側に第２頁がプリントされ、右側に第７頁がプリントされる。用紙５８０Ａの裏面には、その左側に第８頁がプリントされ、右側に第１頁がプリントされる。用紙５８０Ｂの表面には、その左側に第４頁がプリントされ、その右側に第５頁がプリントされる。用紙５８０Ｂの裏面には、その左側に第６頁がプリントされ、右側に第３頁がプリントされる。
【００６６】
図７は、本実施の形態におけるＭＦＰで生成される付加情報の別の例を示す図である。図７に示す例では、図６を用いて説明した、全８頁分のプリントデータを中とじ本のページ仕立ての両面プリントの指示がジョブデータに含まれる場合に、生成される付加情報を示している。
【００６７】
図７（Ａ）は、識別情報が「１０１１１」と「１０１１２」との２つの用紙５８０Ａ，５８０Ｂの表面にプリントデータがプリントされた後に、生成される付加情報を示している。ここでは、各用紙の表面に２頁分のプリントデータがプリントされるが、頁番号の配列は、ページ中のプリント位置を示している。たとえば、「８，１」は、左側に第８頁、右側に第１頁をプリントすることを示している。
【００６８】
この図７（Ａ）に示す付加情報を見れば、識別情報が「１０１１１」の用紙５８０Ａには、表面において、その左側に第２頁、その右側に第７頁が「横上」のプリント方向でプリントされていること、および、裏面には未だプリントされていないが、その左側に第８頁、その右側に第１頁がプリントされるべきであることがわかる。同様に、識別情報が「１０１１２」の用紙には、表面において、その左側に第４頁、その右側に第５頁が「横上」のプリント方向でプリントされていること、および、裏面には未だプリントされていないが、その左側に第３頁、その右側に第６頁がプリントされるべきであることがわかる。
【００６９】
図７（Ｂ）は、両面プリントが完了した状態における付加情報を示している。プリント状態の全てが、「完了」で示されている。
【００７０】
このように付加情報は、用紙に初めて画像が形成された後に生成されて、記憶部５１５に記憶される。そして、その用紙が再度ＭＦＰに供給されて画像形成された後に、変更される。
【００７１】
図８は、ＩＣタグリーダの配置と、用紙の供給方向および面方向を説明するための図である。図８を参照して、２つのＩＣタグリーダ５５０Ａ、５５０Ｂは、用紙５８０の給紙方向に垂直な方向に配列される。このＩＣタグリーダ５５０Ａ，５５０Ｂと、ＩＣタグ５８１Ａ，５８１Ｂとは、無線による通信を行うが、その通信可能距離は制限される。ここでは、ＩＣタグリーダ５５０Ａ、５５０Ｂの通信可能範囲をそれぞれ範囲５５１Ａ，５５１Ｂで示している。
【００７２】
用紙５８０の右上頂角付近に第１ＩＣタグ５８１Ａが、左下頂角付近にＩＣタグ５８１Ｂが付されている。図８に示す給紙方向で用紙５８０が搬送される。この場合、用紙５８０の搬送に伴って、まず、ＩＣタグ５８１ＡがＩＣタグリーダ５５０Ａの通信可能な範囲５５１Ａに進入する。この時点で、ＩＣタグリーダ５５０Ａは、ＩＣタグ５８１Ａと通信可能であるが、ＩＣタグ５８１Ｂは未だ範囲５５１Ｂに進入していないため、ＩＣタグリーダ５５０Ｂは、ＩＣタグ５８１Ｂと通信不可能である。
【００７３】
その後、用紙５８０が搬送されると、ＩＣタグ５８１Ａが、範囲５５１Ａから退出した後、ＩＣタグ５８１ＢがＩＣタグリーダと通信可能な範囲５５１Ｂに進入する。この時点で、ＩＣタグリーダ５５０Ｂは、ＩＣタグ５８１Ｂと通信可能であるが、ＩＣタグ５８１Ａは既に範囲５５１Ａを退出しているため、ＩＣタグリーダ５５０Ａは、ＩＣタグ５８１Ａと通信不可能である。
【００７４】
ＩＣタグ５８１Ａは、用紙５８０の識別情報に加えて、用紙５８０上に配置された位置情報（右上）を記憶している。また、ＩＣタグ５８１Ｂは、用紙５８０の識別情報に加えて、用紙５８０上に配置された位置情報（左下）を記憶している。また、ＩＣタグ５８１ＡとＩＣタグ５８１Ｂとは、用紙５８０上に対向して配置されているため、ＩＣタグ５８１ＡとＩＣタグ５８１Ｂのいずれか一方と通信可能となったタイミングと、他方と通信可能となったタイミングとの差を検出することができる。
【００７５】
上述した供給方向検出部５１１と、面方向検出部５１２とは、第１ＩＣタグリーダ５５０Ａと第２ＩＣタグリーダ５５０Ｂとから受信される、それらが通信したＩＣタグの位置情報と、それらがＩＣタグと通信したタイミングの差とから、供給方向と面方向とを検出する。
【００７６】
図９は、検出される供給方向および面方向を示す図である。図９（Ａ）を参照して、例えば、第１ＩＣタグリーダ５５０Ａで右上に配置された第１ＩＣタグ５８１Ａと通信され、その後、所定の時間より長い時間が経過した後（タイミング差が長い）、第２ＩＣタグリーダ５５０Ｂで左下に配置された第２ＩＣタグ５８１Ｂと通信された場合には、供給方向が「縦」で、面方向が「表」と検出される。一方、図９（Ｂ）において、供給方向が「縦」で、面方向が「表」と検出される場合があるが、これとの違いは、第１ＩＣタグリーダ５５０Ａと第２ＩＣタグリーダ５５０Ｂとが通信するＩＣタグが異なる。このため、供給方向と面方向とが同じであるが、用紙の上下方向が異なることを示す。このため、本実施の形態においては、用紙の上下方向をも検出可能である。
【００７７】
図１０は、本実施の形態におけるＭＦＰ５０１で実行される処理の流れを示すフローチャートである。図１０を参照して、プリントジョブが受信される（ステップＳ１０１）。そして、受信されたプリントジョブに両面プリントの指示が含まれているか否かが判断される（ステップＳ１０２）。両面プリントの指示の場合はステップＳ１０３に進み、そうでない場合はステップＳ１１５に進む。
【００７８】
ステップＳ１０３では、プリントジョブに含まれるプリントデータから表面にプリントするプリントデータとその裏面にプリントするプリントデータとを決定する。すなわち、表面にプリントする頁のプリントデータに対応する裏面にプリントする頁のプリントデータとの対応関係を決定する。そして、決定した対応関係を記憶部５１５に記憶する。
【００７９】
ステップＳ１０４では、供給された用紙の識別情報を取得する。そして、取得した識別情報を用いて、記憶部５１５に記憶されている付加情報を検索して、識別情報に関連付けられた付加情報が記憶されているか否かを判定する（ステップＳ１０５）。記憶されている場合にはステップＳ１０８に進み、そうでない場合にはステップＳ１０６に進む。記憶されている場合は、既にその識別情報が付された用紙には、表面または裏面の少なくとも一方に画像が形成されていることを示し、記憶されていない場合にはその用紙には表面および裏面のいずれにも未だ画像が形成されていないことを示す。
【００８０】
ステップＳ１０６では、表面にプリントするとされているプリントデータに基づいて、用紙に画像を形成する。そして、ステップＳ１０３で決定された対応関係に基づき、付加情報を生成し、記憶する（ステップＳ１０７）。ここで生成される付加情報は、たとえば、図５（Ａ）または図７（Ａ）で示した付加情報である。付加情報は、ステップＳ１０４で取得された識別情報と、ステップＳ１０１で受信されたプリントジョブに含まれるプリントデータのファイル名と、表面に関する情報と、裏面に関する情報とを含む。表面に関する情報は、頁番号がステップＳ１０６で画像形成されたプリントデータの頁番号であり、プリント方向が、用紙に画像をプリントした方向であり、プリント状態が「完了」である。裏面に関する情報は、ステップＳ１０３で表面のプリントデータと対応付けされたプリントデータの頁番号である。プリント方向にはなにも設定されず、プリント状態には「未」が設定される。
【００８１】
一方、ステップＳ１０８に進む場合は、用紙の表面に既に画像が形成されている場合である。このため、まず、画像形成の対象となる面に画像が形成されているかを、面方向を検出することにより判定する（ステップＳ１０８）。面方向が画像が既に形成されている面である場合は、ステップＳ１１４に進み、そうでない場合にはステップＳ１０９に進む。ステップＳ１１４では、操作パネル５７０に、たとえば「画像形成できません。面方向を変更してください。」等のエラーメッセージを出力する。
【００８２】
ステップＳ１０９では、記憶部５１５に記憶されている付加情報を、ステップＳ１０４で取得した識別情報を用いて検索し、裏面にプリントするべきデータが存在するか否かを判定する。その識別情報に関連する付加情報を抽出できた場合に裏面にプリントするべきプリントデータが存在すると判断し、抽出できなかったときは、ステップＳ１１４に進む。抽出できなかった場合は、供給された用紙の表面に、両面プリントの対象とされていないプリントデータが画像形成されているからである。
【００８３】
ステップＳ１１０では、給紙方向を検出する。検出された給紙方向に合わせて、ステップＳ１０９で抽出された付加情報に基づき、裏面にプリントするべきプリントデータを画像形成するプリント方向を決定する（ステップＳ１１１）。具体的には、表面のプリント方向と同じプリント方向とする。なお、ユーザの指定によっては、上下方向を逆にするようにしてもよい。
【００８４】
そして、決定されたプリント方向で、裏面にプリントするべきプリントデータを画像形成する（ステップＳ１１２）。これにより、用紙の表面にプリントされた画像と、裏面にプリントされた画像とが上下方向を合わせることができる。画像形成が終了すると、付加情報を変更する（ステップＳ１１３）。ここでの変更は、裏面に関する情報のプリント状態を、「完了」に変更することをいう。これにより、図５（Ｂ）または図７（Ｂ）に示した付加情報に変更される。
【００８５】
一方、ステップＳ１０２において、両面プリントの指示がプリントジョブに含まれていない場合は、ステップＳ１１５において、用紙の識別情報が取得される。そして、取得した識別情報を用いて、記憶部５１５に記憶されている付加情報を検索して、識別情報に関連付けられた付加情報が記憶されているか否かを判定する（ステップＳ１１６）。記憶されている場合にはステップＳ１１９に進み、そうでない場合にはステップＳ１１７に進む。記憶されている場合は、既にその識別情報が付された用紙には、表面または裏面の少なくとも一方に画像が形成されていることを示し、記憶されていない場合にはその用紙には表面および裏面のいずれにも未だ画像が形成されていないことを示す。
【００８６】
ステップＳ１１９においては、操作パネル５７０に、たとえば「画像形成できません。用紙にはすでに画像が形成されています。」等のエラーメッセージを出力する。すでに、画像が形成されているものに、画像が形成されるのを防止するためである。たとえば、両面プリントの指示に基づいて、表面にプリントされた用紙をユーザがセットした後に、他人が別のプリントジョブを与えた場合に、そのプリントジョブに基づいて、ユーザがセットした用紙に関係のない画像が形成されるのを防止することができる。なお、エラーメッセージを出力することなく、供給する用紙を別の用紙に変更して、他のユーザが指定したプリントジョブを優先して出力するようにしてもよい。
【００８７】
ステップＳ１１７では、用紙には表面および裏面のいずれにも画像が形成されていない場合なので、プリントデータを画像形成する。このプリントデータは、両面プリントの指示がされていないプリントジョブに含まれるデータである。そして、新たな付加情報を生成して、記憶部５１５に生成した付加情報を記憶する（ステップＳ１１８）。
【００８８】
以上説明したように、第１の実施の形態におけるＭＦＰは、プリントジョブに含まれる両面プリント指示を検出し、記録媒体の表面にプリントするプリントデータと裏面にプリントするプリントデータとの対応関係を決定して付加情報を生成する。そして、表面にプリントした用紙が供給されたとき、用紙の識別情報に関連する付加情報を抽出して、裏面にプリントするプリントデータを用紙の裏面にプリントする。このため、両面プリントする際に、表面に画像が形成された用紙を供給するだけで、裏面に画像が自動的に形成されるので、両面プリントを確実に実行することができる。
【００８９】
また、供給される用紙の供給方向を検出して、供給方向と表面にプリントされたプリント方向とに基づき、裏面にプリントするプリント方向が決定される。このため、記録媒体の供給方向に合わせて、裏面に画像形成されるので、ユーザは、記録媒体の供給方向を意識することなく用紙を供給するだけで正確に両面プリントをすることができる
また、供給される用紙に画像が形成される面の面方向が検出され、検出された面方向が既に画像形成された面である場合に警告する。このため、用紙に既に画像が形成されている面にさらに画像が形成されるのを防止することができる。
【００９０】
また、用紙の識別情報に関連して付加情報が既に記憶されており、かつ、該付加情報に表面に関する情報と裏面に関する情報とが含まれないきないときは、警告が発生される。このため、表面のプリントデータが画像形成された用紙に、何ら関連のないプリントデータが画像形成されることがない。
【００９１】
また、識別情報は、用紙に付されたＩＣタグに記憶されているので、識別情報を確実に取得することができる。
【００９２】
［第２の実施の形態］
図１１は、本発明の第２の実施の形態における文書管理システムの全体概要を示す図である。図１１を参照して、文書管理システム１は、ネットワーク３０にそれぞれ接続された、コンピュータ４００と、コンピュータ４００から出力されるプリントデータを用紙１０にプリントするプリンタ１００と、プリンタ１００により画像が形成された用紙１０Ａからイベントの発生を指示するためのタブレット３００とを含む。
【００９３】
図では、コンピュータ４００、プリンタ１０１、タブレット３００をそれぞれ１台の場合を示しているが、これらは、単数であっても複数であっても良い。
【００９４】
コンピュータ４００は、一般的なパーソナルコンピュータである。そのハード構成は周知であるので、ここでは説明を繰返さない。コンピュータ４００には、ＣＤ−ＲＯＭ（Compact Disc Read Only Memory）４０１が装着される。ＣＤ−ＲＯＭ４０１に記録された文書管理プログラムは、ＣＤ−ＲＯＭドライブ等により読取られてハードディスクに一旦格納される。さらにハードディスクからランダムアクセスメモリ（ＲＡＭ）に読出されてＣＰＵ（Central Processing Unit）により実行される。コンピュータ４００では、文書作成プログラム、作図プログラム、表計算プログラム、画像編集プログラム、描画プログラム等のプリントデータを生成する種々のアプリケーションプログラムが実行される。ユーザがコンピュータ４００を操作して、これらのアプリケーションプログラムをコンピュータ４００に実行させ、電子データであるプリントデータを生成させる。そして、コンピュータ４００で生成されたプリントデータを出力する指示を与えれば、後述する情報管理プログラムが実行される。
【００９５】
用紙１０は、プリンタ１００により画像形成される記録媒体である。ペーバ１０は、ＩＣ（Integrated circuit）タグ１１を含む。ＩＣタグ１１は、それが付された用紙と他の用紙とを識別するためのユニークな識別情報を記憶する記憶装置と、後述するＩＣタグリーダと無線で通信可能な通信装置とを含んでいる。たとえば、ミューチップなどの半導体装置を用いることができる。用紙１０にはＩＣタグが付されているので、複写機等で用紙１０に形成された画像を光学的に読取って複写する場合に、識別情報が同時に複写されない。したがって、識別情報から用紙１０を特定することができる。
【００９６】
プリンタ１００は、画像形成装置であり、コンピュータ４００から出力されるプリントデータに従って、用紙１０に画像を形成する。用紙１０Ａは、用紙１０に画像２０が形成された状態を示している。プリンタ１００は、ＩＣタグリーダ１０１を含む。ＩＣタグリーダ１０１は、給紙された用紙１０に付されたＩＣタグ１１と無線で通信して、ＩＣタグ１１の記憶装置に記憶された識別情報を取得する。したがって、用紙１０の識別情報と、その用紙１０に画像を形成するために用いたプリントデータとを関連付けることが可能である。この関連付けは、コンピュータ４００で行われる。具体的には、コンピュータ４００がプリントデータを送信した後に、そのプリントデータに従って画像を形成した用紙１０の識別番号をプリンタ１００から受信し、受信した識別番号をプリントデータに対応する電子データと関連付ける。これについては後で詳細に説明する。
【００９７】
タブレット３００は、用紙１０を用いてイベントを発生させるためのユーザインターフェースである。タブレット３００は、座標入力装置３０３とＩＣタグリーダ３１０とを含む。座標入力装置３０３は、ユーザが用紙１０をその上に載置して、ペン３０４で用紙１０上の任意の位置を指定すると、その指定された用紙１０上の位置情報が入力される。ＩＣタグリーダ３１０は、プリンタ１００に備えられたＩＣタグリーダ１０１と同様に、座標入力装置３０３に搭載された用紙１０に付されたＩＣタグ１１と無線で通信して、ＩＣタグ１１の記憶装置に記憶された識別情報を取得する。また、タブレット３００は、共通イベント発生ボタンを有する。タブレット３００は、取得した識別情報、共通イベントまたは用紙１０上の位置情報を、コンピュータ４００に送信する。これにより、イベントが発生して、コンピュータ４００では、この発生したイベントに応じた処理が実行される。これについては、後で詳細に説明する。
【００９８】
ネットワーク３０は、ローカルエリアネットワーク（ＬＡＮ）、インターネットまたは一般公衆回線であり、有線または無線を問わない。また、ここではネットワーク３０で、コンピュータ４００と、プリンタ１００と、タブレット３００とを接続した例を示すが、これらはシリアル回線またはパラレル回線を用いて接続するようにしてもよい。
【００９９】
なお、コンピュータ４００で実行される文書管理プログラムは、ＣＤ−ＲＯＭ４０１に記憶されて流通する例を示したが、他の記録媒体、たとえば、フレキシブルディスク、カセットテープ、ハードディスク、光ディスク（ＭＯ（Magnetic Optical Disc）／ＭＤ（Mini Disc）／ＤＶＤ（Digital Versatile Disc））、ＩＣカード（メモリカードを含む）、光カード、マスクＲＯＭ、ＥＰＲＯＭ（Erasable and Programmable ROM）、ＥＥＰＲＯＭ（Electrically Erasable and Programmable ROM）などの半導体メモリ等の固定的にプログラムを担持する媒体でもよい。
【０１００】
さらに、文書管理プログラムは、記録媒体を介してではなく、ネットワーク３０を通じて他のコンピュータから提供されてもよい。
【０１０１】
また、ここでいうプログラムは、ＣＰＵにより直接実行可能なプログラムだけでなく、ソースプログラム形式のプログラム、圧縮処理されたプログラム、暗号化されたプログラム等を含む概念である。
【０１０２】
本実施の形態における文書管理システム１では、コンピュータ４００は、情報管理装置として機能する。コンピュータ４００は、電子データとその電子データがプリントされる用紙１０に付された識別情報とを関連付けて記憶する。また、コンピュータは、識別情報および電子データに関連付けて付加情報を記憶する。この付加情報は、イベントに対応した動作を定義する。イベントに対応した動作とは、用紙１０にプリントされた電子データに関連する処理として、電子データを他の用紙にプリントする複製処理、電子データを他のコンピュータに送信する転送処理、電子データが更新された場合に更新後の電子データを他の用紙にプリントする更新処理とを含む。これら、複製、転送および更新の処理は、用紙１０の位置に関連しない共通イベントに対応付けられる。イベントの発生は、上述したタブレットから入力される。
【０１０３】
また、イベントに対応した処理は、電子データの複製、転送、更新とは別の処理を含めることができる。たとえば、別の電子データの表示またはプリント等、コンピュータ４００で実行可能な処理を含む。これらの処理は、用紙１０の位置に関連する位置イベントに対応付けられる。
【０１０４】
図１２は、タブレットとそれによる位置イベントの指示を説明するための図である。図１２（Ａ）は、タブレットの平面図を示す。上述したようにタブレット３００は、イベントを発生されるためのユーザインターフェースである。図１２（Ａ）を参照してタブレット３００は、その上面に座標入力装置３０３と、共通イベント発生ボタン３０２Ａ，３０２Ｂ，３０２Ｃと、表示部３０１と、ＩＣタグリーダ３１０とを含む。
【０１０５】
このタブレット３００を用いて、イベントを発生させるには、まず、電子データがプリントされて画像２０が形成された用紙１０Ａを、座標入力装置３０３の上に搭載する。これにより、座標入力装置３０３の裏面に設けられたＩＣタグリーダ３１０が、用紙１０Ａに付されたＩＣタグリーダ１１と通信して、ＩＣタグリーダ３１０で用紙１０Ａに与えられた識別番号が取得される。
【０１０６】
次に、共通イベント発生ボタン３０２Ａ，３０２Ｂ，３０２Ｃの押下、または、ペン３０４で用紙１０Ａ上の任意の位置を指示する。共通イベント発生ボタン３０２Ａは、複製イベントを発生させるためのボタンである。共通イベント発生ボタン３０２Ｂは、転送イベントを発生させるためのボタンである。共通イベント発生ボタン３０２Ｃは、更新イベントを発生させるためのボタンである。共通イベントの発生により、複製、転送、または更新の３つの予め定められた動作のいずれかが、コンピュータ４００で実行される。この動作は、コンピュータ４００に記憶された付加情報で予め定義される。
【０１０７】
ペン３０４を用いた用紙１０Ａ上の任意の位置の指示は、位置イベントを発生させる。この位置イベントは、用紙１０Ａの予め定められた位置に対応して予め定められたコンピュータ４００の動作である。用紙１０Ａの位置およびその位置に対応する動作は、コンピュータ４００に記憶された付加情報で予め定義される。
【０１０８】
表示部３０１は、たとえば液晶表示装置であり、イベントの実行結果を表示する。
【０１０９】
図１２（Ｂ）は、付加情報で予め定義される用紙１０Ａの位置の一例を示す図である。図１２（Ｂ）を参照して、用紙１０Ａに５つの領域２１Ａ〜２１Ｅが定義される例を示している。５つの領域２１Ａ〜２１Ｅそれぞれには、異なる位置イベントを定義することが可能である。たとえば、領域２１Ａ内の任意の位置がペン３０４で指示されると、その領域２１Ａに対応付けられている動作がコンピュータ４００で実行される。したがって、領域２１Ａ〜２１Ｅと、電子データとは所定の関連付けがされていることが望ましい。タブレット３００での用紙１０Ａにおける位置の指定は、ユーザが用紙１０Ａにプリントされた画像２０を見て行う。このため、画像２０からイベントをユーザが知ることができるとよい。したがって、画像２０は、５つの領域２１Ａ〜２１Ｅそれぞれで異なる画像であることが好ましい。これにより、ユーザが画像２０中の５つの画像のうちいずれかを選択することができるため、ユーザは、画像２０から発生させる位置イベントを認識することができる。
【０１１０】
タブレット３００は、ＩＣタグリーダ３１０で取得した識別情報と、共通イベント発生ボタン３０２Ａ，３０２Ｂ，３０２Ｃの押下、または、座標入力装置３０３で検出されたペン３０４の指示位置（座標）とを、コンピュータ４００に送信する。
【０１１１】
図１３は、電子データと付加情報との関係を説明するための図である。図１３では、説明のため共通イベントのみを示している。位置イベントについても、共通イベントと同様であるので、ここでは説明を繰返さない。
【０１１２】
図１３（Ａ）では、仕様書Ａ版を担当部署の担当者と関連部署の担当者とに配付するために、仕様書Ａ版の内容を保存したファイル名が「ファイルＡ．ａａａ」の電子データを、プリントして２つの用紙１０Ａを出力する例を示している。仕様書Ａ版は、担当部署から正式に関連部署に発行されるものであるが、その後最終版が発行される前に数度の更新が予定される版である。このため、担当部署の担当者に配布される用紙１０Ａに対して、付加情報は、用紙１０Ａの識別情報と電子データと関連付けられており、複製、転送および更新の全ての共通イベントの実行を許可する動作を記述したものとされる。関連部署の担当者に配布される用紙１０Ａに対して、付加情報は、用紙１０Ａの識別情報と電子データと関連付けられており、複製、転送を不許可とした動作と、更新を１度だけ許可する動作とを記述したものとされる。
【０１１３】
これにより、担当部署の担当者は、用紙１０Ａを用いて、タブレット３００から複製、転送および更新の全てのイベントに対応する動作を、コンピュータ４００に実行させることができる。これに対して、関連部署の担当者は、用紙１０Ａを用いて、タブレット３００から複製および転送のイベントに対応する動作を、コンピュータ４００に実行させることはできず、更新のイベントに対応する動作をコンピュータ４００に１度だけ実行させることができる。また、関連部署の担当者が、用紙１０Ａを用いて、更新のイベントに対応する動作をコンピュータ４００に実行させると、更新を不許可とするように付加情報が変更される。このため、２回目の更新イベントを発生させたとしても、更新イベントが不許可とされているので、更新イベントに対応する動作がコンピュータ４００では実行されない。
【０１１４】
このように、用紙１０Ａの識別情報ごとに付加情報を関連付けることにより、同じ電子データに基づき同じ画像が形成された２つの用紙１０Ａがプリントされても、その用紙１０Ａを配付する人に応じて、イベントに対応する処理の内容（動作）を異ならせることができる。また、イベントの発生に伴い、そのイベントに対応する動作の実行後に、付加情報が変更される。このため、イベントに対応した動作が実行されるという事情の変化に応じて、付加情報を変更することができる。
【０１１５】
図１３（Ｂ）は、仕様書Ａ’版を担当部署の担当者に配布するために、仕様書Ａ’版の内容を保存したファイル名が「ファイルＢ．ａａａ」の電子データを、プリントした用紙１０Ａを出力する例を示している。仕様書Ａ’版は、担当部署内の担当者に発行されるものであるが、その後最終版が発行される前に数度の更新が予定される版である。このため、担当部署の担当者に配布される用紙１０Ａに対して、付加情報は、用紙１０Ａの識別情報と電子データと関連付けられており、複製、転送を不許可とした動作と、更新を許可する動作とを記述したものとして定義される。付加情報には、更新イベントに対応する動作として更新後のファイル名を含む。この付加情報で定義される更新後のファイル名は、ファイル名が「ファイルＢ．ａａａ」の電子データが更新される毎に変更される。このため、ファイルの更新という事情の変化に応じて、付加情報を変更することができる。
【０１１６】
図１３（Ｃ）は、仕様書Ｂ版を担当部署の担当者と、関連部署の担当者と、販売会社の担当者とに配付するために、仕様書Ｂ版の内容を保存したファイル名が「ファイルＣ．ａａａ」の電子データを、プリントした用紙１０Ａを３つ出力する例を示している。仕様書Ｂ版は、担当部署から最終版として発行されるものである。このため、その発行後に更新されることはない。発行とは、「ファイルＣ．ａａａ」の電子データを最初にプリントして配付することが相当する。このため、担当部署の担当者に配布される用紙１０Ａに対して、付加情報は、用紙１０Ａの識別情報と電子データと関連付けられており、複製、転送の共通イベントの実行を許可する動作と、更新の共通イベントを不許可とした動作とが記述されたものとされる。また、関連部署の担当者に配布される用紙１０Ａに対して、付加情報は、用紙１０Ａの識別情報と電子データと関連付けられており、複製の共通イベントの実行を許可する動作と、転送および更新の共通イベントを不許可とした動作とが記述されたものとされる。さらに、販売会社の担当者に配布される用紙１０Ａに対して、付加情報は、用紙１０Ａの識別情報と電子データと関連付けられており、複製、転送および更新の全ての共通イベントの実行を不許可とした動作を記述したものとされる。
【０１１７】
これにより、担当部署の担当者は、用紙１０Ａを用いて、タブレット３００から複製、転送のイベントに対応する動作を、コンピュータ４００に実行させることができるが、更新のイベントに対応する動作をコンピュータ４００に実行させることはできない。また、関連部署の担当者は、用紙１０Ａを用いて、タブレット３００から複製のイベントに対応する動作を、コンピュータ４００に実行させることができるが、転送および更新のイベントに対応する動作をコンピュータ４００に実行させることはできない。さらに販売会社の担当者は、用紙１０Ａを用いて、タブレット３００から複製、転送および更新の全てのイベントに対応する動作を、コンピュータ４００に実行させることができない。
【０１１８】
このように、用紙１０Ａの識別情報ごとに付加情報を関連付けることにより、同じ電子データに基づき同じ画像が形成された３つの用紙１０Ａがプリントされても、その用紙１０Ａを配付する人に応じて、イベントに対応する処理の内容（動作）を異ならせることができる。
【０１１９】
図１４は、図１３（Ａ）に示した例において生成される付加情報を示す。図１４（Ａ）は、担当部署の担当者に配布される用紙１０Ａがプリントされる際に記憶される付加情報と、関連部署の担当者に配布される用紙１０Ａがプリントされる際に記憶される付加情報とを示している。図１４（Ａ）を参照して、担当部署の担当者に配布される用紙１０Ａがプリントされる際に記憶される付加情報は、用紙１０Ａの識別情報「１００１」と仕様書Ａ版の内容を保存した電子データを示すファイル名「ファイルＡ．ａａａ」と配付先を示す「担当部署」と関連付けられており、共通イベントの動作、および位置イベントの動作を記述する情報である。
【０１２０】
共通イベントの動作の詳細は、複製イベントに対して「許可」が定義されており、転送イベントに対して「送信先アドレス」が定義されており、更新イベントに対して「更新ファイル名」が定義されている。複製イベントには「許可」が定義されているので、複製イベントが発生した場合には、「ファイルＡ．ａａａ」の電子データがプリンタ１００からプリント出力される。転送イベントには「送信先アドレス」が定義されているので、転送イベントが発生した場合には、「ファイルＡ．ａａａ」の電子データが「送信先アドレス」に電子メールなどの通信手段で送信される。更新イベントには「更新ファイル名」が定義されているので、更新イベントが発生した場合には、「更新ファイル名」の電子データがプリンタ１００からプリント出力される。更新ファイル名は、この付加情報が記憶された当初は記憶されておらず、「ファイルＡ．ａａａ」の電子データが更新された時点で、更新後のファイル名が更新ファイル名として記憶される。したがって、付加情報は、更新ファイルが生成された時点で変更される。「ファイルＡ．ａａａ」の電子データが未だ更新されておらず、更新ファイル名が記憶されていない場合には、更新イベントが発生したとしても、プリント出力するファイルが存在しないため、更新イベントに対応する動作は実行されない。
【０１２１】
位置イベントの動作の詳細は、位置と動作とが複数定義されている。位置は、用紙１０Ａ中の矩形領域を、その領域の左上の頂点の座標と右下の頂点の座標で定義している。左上の頂点座標（１００，３００）と右下の頂点座標（３００，５００）の位置に対応する動作は、「ファイルＸを出力」であり、ファイル名が「ファイルＸ」の電子データを、出力する動作が定義される。他の位置イベントは、左上の頂点座標（６００，２００）と右下の頂点座標（９００，５００）の位置に対応する動作を「項目Ａのカウント値加算」であり、例えば仕様書Ａを閲覧した回数を示すカウント値を項目Ａとすれば、そのカウント値をインクリメントする動作が定義される。
【０１２２】
なお、ここでは、位置イベントを２つ定義した付加情報を示したが、位置イベントの数はこれに限定されず、１つあるいは複数を定義することができる。
【０１２３】
関連部署の担当者に配布される用紙１０Ａがプリントされる際に記憶される付加情報は、用紙１０Ａの識別情報「１００２」と、仕様書Ａ版の内容を保存した電子データを示すファイル名「ファイルＡ．ａａａ」と、配付先を示す「関連部署」と関連付けられており、共通イベントの動作、および位置イベントの動作を記述した情報である。共通イベントの動作の詳細は、複製イベントに対して「不許可」が定義されており、転送イベントに対して「不許可」が定義されており、更新イベントに対して「更新ファイル名（１回のみ）」が定義されている。複製イベントには「不許可」が定義されているので、複製イベントが発生したとしても「ファイルＡ．ａａａ」の電子データはプリンタ１００からプリント出力されない。転送イベントには「不許可」が定義されているので、転送イベントが発生しても「ファイルＡ．ａａａ」の電子データは送信されない。更新イベントには「更新ファイル名（１回のみ）」が定義されているので、更新イベントが発生した場合には、「更新ファイル名」の電子データがプリンタ１００から１回だけプリント出力される。更新イベントが発生して、更新イベントに対応する動作、すなわち、「更新ファイル名」の電子データがプリンタ１００からプリント出力されると、更新イベントにに対して「不許可」が定義されるように、付加情報が変更される。図１４（Ｂ）は、付加情報が変更された後の付加情報を示す図である。このように、付加情報は、イベントの発生によるイベントに対応した動作の実行に応答して、変更される。なお、ここでは、更新イベントが発生して、動作が実行された後に、付加情報が変更される場合を説明したが、他のイベントの発生に伴う動作が実行された後に、付加情報を変更するようにしてもよい。さらに、あるイベント、たとえば複製イベントの発生に伴う動作が実行された後に、他のイベント、たとえば更新イベントにに対応する動作を変更するように付加情報を変更してもよい。
【０１２４】
なお、更新ファイル名が記憶されていない場合には、上述したのと同様に、更新イベントが発生したとしても、プリント出力するファイルが存在しないため、更新イベントに対応する動作は実行されない。
【０１２５】
関連部署の担当者に配布される用紙１０Ａがプリントされる際に記憶される付加情報の位置イベントは、担当部署の担当者に配布される用紙１０Ａがプリントされる際に記憶される付加情報の位置イベントと同じである。用紙１０Ａに画像形成される画像は、担当部署に配付されるものと、関連部署に配付されるものとで同じである。したがって、位置イベントの位置は両用紙１０Ａで同となる。ここでは、位置イベントに対応する動作を、担当部署に配付されるものと、関連部署に配付されるものと同じにしたが、異なる動作を定義するようにすることもできる。
【０１２６】
図１５は、図１３（Ｂ）に示した例において生成される付加情報を示す。担当部署の担当者に配布される用紙１０Ａがプリントされる際に記憶される付加情報である。この付加情報は、用紙１０Ａの識別情報「１０１１」と、仕様書Ａ’版の内容を保存した電子データを示すファイル名が「ファイルＢ．ａａａ」と、配付先を示す「担当部署」と関連付けられており、共通イベントの動作、および位置イベントの動作を記述した情報である。
【０１２７】
共通イベントの動作の詳細は、複製イベントに対して「不許可」が定義されており、転送イベントに対して「不許可」が定義されており、更新イベントに対して「最新の更新ファイル名」が定義されている。複製イベントには「不許可」が定義されているので、複製イベントが発生した場合には、「ファイルＢ．ａａａ」の電子データがプリンタ１００からプリント出力されない。転送イベントには「不許可」が定義されているので、転送イベントが発生した場合には、「ファイルＢ．ａａａ」の電子データは送信されない。更新イベントには「最新の更新ファイル名」が定義されているので、更新イベントが発生した場合には、「最新の更新ファイル名」の電子データがプリンタ１００からプリント出力される。更新ファイル名は、この付加情報が記憶された当初は記憶されておらず、「ファイルＡ．ａａａ」の電子データが更新された時点で、更新後のファイル名が更新ファイル名として記憶される。また、この更新は、１回に限らず複数回行われることもあるので、最新の更新ファイルのファイル名が定義される。したがって、付加情報は、最新の更新ファイルが生成されるごとに変更される。
【０１２８】
位置イベントの動作の詳細は、位置と動作とが定義されている。左上の頂点座標（２００，５００）と右下の頂点座標（５００，８００）の位置に対応する動作は、「ファイルＸを出力」であり、ファイル名が「ファイルＸ」の電子データを、出力する動作が定義される。
【０１２９】
図１６は、図１３（Ｃ）に示した例において生成される付加情報を示す。図１６を参照して、担当部署の担当者に配布される用紙１０Ａがプリントされる際に記憶される付加情報と、関連部署の担当者に配布される用紙１０Ａがプリントされる際に記憶される付加情報と、販売会社の担当者に配布される用紙１０Ａがプリントされる際に記憶される付加情報とが示される。
【０１３０】
担当部署の担当者に配布される用紙１０Ａがプリントされる際に記憶される付加情報は、用紙１０Ａの識別情報「１０２１」と、最終版である仕様書Ｂ版の内容を保存した電子データを示すファイル名「ファイルＣ．ａａａ」と、配付先を示す「担当部署」と関連付けられており、共通イベントの動作、および位置イベントの動作を記述した情報である。
【０１３１】
共通イベントの動作の詳細は、複製イベントに対して「許可」が定義されており、転送イベントに対して「送信先アドレス」が定義されており、更新イベントに対して「不許可」が定義されている。複製イベントには「許可」が定義されているので、複製イベントが発生した場合には、「ファイルＣ．ａａａ」の電子データがプリンタ１００からプリント出力される。転送イベントには「送信先アドレス」が定義されているので、転送イベントが発生した場合には、「ファイルＣ．ａａａ」の電子データが「送信先アドレス」に電子メールなどの通信手段で送信される。更新イベントには「不許可」が定義されているので、更新イベントが発生した場合には、何も実行されない。位置イベントの動作の詳細は、図１４で説明したのと同様であるのでここでは説明を繰返さない。
【０１３２】
関連部署の担当者に配布される用紙１０Ａがプリントされる際に記憶される付加情報は、用紙１０Ａの識別情報「１０２２」に関連付けて、最終版の仕様書Ｂ版の内容を保存した電子データを示すファイル名が「ファイルＣ．ａａａ」と、配付先を示す「関連部署」と、共通イベントの動作、および位置イベントの動作を定義する情報である。共通イベントの動作の詳細は、複製イベントに対して「２００３／１２／３１まで許可」が定義されており、転送イベントに対して「不許可」が定義されており、更新イベントに対して「不許可」が定義されている。複製イベントには「許可」が定義されているが、許可の期限が２００３／１２／３１までとされている。したがって、複製イベントが発生した場合には、その発生日が２００３年１２月３１日までであれば、「ファイルＣ．ａａａ」の電子データがプリンタ１００からプリント出力されるが、２００４年１月１日以降はプリント出力されない。付加情報は、２００４年１月１日になった時点で、識別情報が「１０２２」に関連して記憶されている複製イベントの動作が「不許可」に変更される。転送イベントには「不許可」が定義されているので、転送イベントが発生しても「ファイルＣ．ａａａ」の電子データは送信されない。更新イベントには「不許可」が定義されているので、更新イベントが発生した場合には、何も実行されない。位置イベントの動作の詳細は、図１４で説明したのと同様であるのでここでは説明を繰返さない。
【０１３３】
販売会社の担当者に配布される用紙１０Ａがプリントされる際に記憶される付加情報は、用紙１０Ａの識別情報「１０２３」と、最終版の仕様書Ｂ版の内容を保存した電子データを示すファイル名「ファイルＣ．ａａａ」と、配付先を示す「販売会社」と関連付けられており、共通イベントの動作、および位置イベントの動作を定義する情報である。共通イベントの動作の詳細は、複製イベント、転送イベント、更新イベントの全てに対して「不許可」が定義されている。複製イベントには「不許可」が定義されているので、「ファイルＣ．ａａａ」の電子データはプリンタ１００からプリント出力されない。転送イベントには「不許可」が定義されているので、転送イベントが発生しても「ファイルＣ．ａａａ」の電子データは送信されない。更新イベントには「不許可」が定義されているので、更新イベントが発生した場合には、何も実行されない。位置イベントの動作の詳細は、図１４で説明したのと同様であるのでここでは説明を繰返さない。
【０１３４】
図１７は、本実施の形態における文書管理システムで実行される処理の付加情報生成処理の流れを示すフローチャートである。図１７では、右側にコンピュータ４００で実行される付加情報生成処理の流れを示し、左側にプリンタ１００で実行されるプリント処理の流れを示す。図を参照して、コンピュータ４００において、ユーザがファイルを作成、変更、または更新するためにファイルを開いたことが検出される（ステップＳ０１）。ここで開かれたファイルが、電子データである。そして、プリント指示が検出される（ステップＳ０２）。プリント指示が検出されると、イベント指示の入力が受付けられる（ステップＳ０３）。イベント指示の入力は、図１４〜図１６で説明した付加情報の入力をいう。上述したように、付加情報は、イベントとそのイベントに対応した動作を定義した情報であり、イベントには共通イベントと位置イベントとがある。このためイベント指示は、共通イベントに対して、複製、転送および更新の各イベントごとの動作を含み、位置イベントに対して、位置とその位置に対応する動作を含む。これらのイベント指示を入力するための画面が、コンピュータ４００のディスプレイに表示されて、ユーザの入力が受付けられる。なお、イベントとそのイベントに対応する動作に予め定められたものを用いる場合には、このイベント指示を省略することができる。
【０１３５】
そして、ステップＳ０１で開かれた電子データがプリントデータに変換されてプリンタ１００に送信される（ステップＳ０４）。
【０１３６】
プリンタ１００では、コンピュータ４００からプリントデータを受信する（ステップＳ１１）。そして、そのプリントデータに従って用紙にプリントするのであるが、その前に、画像を形成する予定の用紙１０の識別情報をＩＣタグ１１から読取る（ステップＳ１２）。そして、用紙１０にステップＳ１１で受信したプリントデータをプリントする（ステップＳ１３）。プリントが完了すると、ステップＳ１２で読取った識別情報をコンピュータ４００に返信する（ステップＳ１４）。
【０１３７】
コンピュータ４００では、プリンタ１００から識別情報を受信するまで待機状態となっており、識別情報を受信する（ステップＳ０５）。
【０１３８】
そして、受信した識別情報を用いてハードディスク等の記憶装置に記憶されている付加情報を検索する（ステップＳ０６Ａ）。受信した識別情報と関連付けられた付加情報（第１の付加情報）が既に記憶されている場合には、ステップＳ０６Ｂに進み、そうでない場合にはステップＳ０６に進む。受信した識別情報と関連付けられた付加情報が既に記憶されている場合には、その識別情報の付された用紙１０Ａには、一方の面に電子データ（第１の電子データ）がプリントされていることを示す。このため、コンピュータ４００は、ユーザが用紙１０Ａの一方の面に既にプリントされた画像を不要として、他方の面に新たに電子データ（第２の電子データ）をプリントすることを希望していると判断する。このため、ステップＳ０３におけるイベント指示で入力された付加情報（第２の付加情報）を、既に記憶されている付加情報（第１の付加情報）に追加することにより付加情報を変更する（ステップＳ０６Ｂ）。そして、次のステップＳ０６Ｃで、既に記憶されていた付加情報（第１の付加情報）を削除する。なお、既に記憶されたいた付加情報を削除することなく、不要になったことを示す情報を付加情報に付加するようにしてもよい。これにより、その識別情報が付された用紙に画像形成された電子データの履歴を付加情報に残すことができる。
【０１３９】
したがって、付加情報には、表面に形成された電子データに関する付加情報が削除され、ステップＳ０３におけるイベント指示で入力された付加情報のみを含ことになる。このため、ユーザが、用紙資源を節約するために、表面に電子データがプリントされた用紙を再利用して、裏面に新たに電子データをプリントする場合でも、新たな電子データとそれに関する付加情報を、再利用される用紙の識別情報と関連付けて記憶することができる。また、裏紙として再利用した用紙に先に関連つけられたイベントを無効にすることができる。再利用された用紙をトリガとして、所定の処理をコンピュータ４００に実行させることができる。
【０１４０】
一方、ステップＳ０６では、ステップＳ０３で入力されたイベント指示から付加情報を生成し、ステップＳ０５で受信した識別情報と、ステップＳ０１で開かれた電子データと関連付けてハードディスク等の記憶装置に記憶する（ステップＳ０６）。その後、ステップＳ０１で開いたファイルを閉じて処理を終了する（ステップＳ０７）。
【０１４１】
このように、付加情報は、プリンタ１００によりプリントが生成されるごとに生成されて記憶される。また、付加情報は、用紙１０の識別情報に関連付けた情報であるため、用紙ごとに、異なる付加情報を生成して記憶しておくことができる。
【０１４２】
また、ユーザが、表面に電子データがプリントされた用紙を裏紙として再利用する場合でも、新たな電子データとそれに関する付加情報とを、裏紙とされる用紙の識別情報と関連付けて記憶するので、再利用された用紙をトリガとして、所定の処理をコンピュータ４００に実行させることができる。
【０１４３】
図１８は、本実施の形態における文書管理システムで実行されるイベント処理の流れを示すフローチャートである。図では、右側にタブレット３００で実行される処理の流れを示し、左側にコンピュータ４００で実行される処理の流れを示している。図１８を参照して、ユーザがタブレット３００の座標入力装置上に用紙１０Ａを載置すると、タブレット３００のＩＣタグリーダ３１０により用紙１０ＡのＩＣタグ１１から識別情報が読取られる（ステップＳ３１）。そして、読取られた識別情報がコンピュータ４００に送信される（ステップＳ３２）。
【０１４４】
コンピュータ４００では、識別情報を受信する（ステップＳ２１）。前述した付加情報生成処理で、生成して記憶しておいた付加情報を検索して、受信した識別情報に関連付けられた付加情報を抽出する（ステップＳ２２）。
【０１４５】
一方、タブレットでは、イベント指示が受付けられる（ステップＳ３３）。イベント指示とは、共通イベント発生ボタン３０２Ａ，３０２Ｂ，３０２Ｃの押下、または、ペン３０４で用紙１０Ａ上の任意の位置を指示する、ユーザの指示である。共通イベント発生ボタン３０２Ａ，３０２Ｂ，３０２Ｃの押下が検出された場合（ステップＳ３４でＹＥＳ）には、複製、転送または更新のいずれかの共通イベントが指示された判断し、ステップＳ３６に進む。そうでない場合（ステップＳ３４でＮＯ）には、ペン３０４による用紙１０Ａ上の任意の位置の指示を検出する（ステップＳ３５）。そして、共通イベントが指示された場合にはその旨を、位置イベントが指示された場合には指示された位置情報をコンピュータ４００に送信する（ステップＳ３６）。
【０１４６】
コンピュータ４００では、タブレットから送信されてくるイベント指示を受信し、イベントを解析する（ステップＳ２３）。イベントの解析とは、受信されたイベント指示に対応する動作を、ステップＳ２２で抽出された付加情報から決定する処理である。そして、決定された動作を実行することによりイベント指示に対応する動作が実行される（イベント実行処理：ステップＳ２４）。
【０１４７】
そして、ステップＳ２４におけるイベント実行処理に応じて、必要な場合には、付加情報を変更する（ステップＳ２５）。
【０１４８】
図１９は、図１８のステップＳ２５で実行される付加情報変更処理の流れを示すフローチャートである。ここでは説明のため図１４（Ａ）に示した付加情報が記憶されており、識別番号「１００２」の用紙で更新イベントが発生した場合を例に説明する。図１９を参照して、この付加情報変更処理は、イベント実行処理の終了に応じて実行される。図１８のステップＳ２４で実行されたイベントに対応する動作が、回数制限があるか否かが判断される（ステップＳ４１）。回数制限がある場合にはステップＳ４２へ進み、そうでない場合には処理を終了する。ここでは、識別番号「１００２」の用紙で更新イベントが発生しているので、この更新イベントに対応する動作として「更新ファイル名（１回のみ）」が記述されている。このため、回数制限があると判断し、ステップＳ４２へ進む。ステップＳ４２では、その実行されたイベントに対応する動作を「不許可」に変更する。
【０１４９】
このように、本実施の形態における文書管理システム１においては、イベントに対応した動作が実行されることに応じて付加情報を変更するため、用紙１０に電子データをプリントした時点後に、イベントが発生するといった事情に対応することができる。
【０１５０】
図２０は、第２の付加情報変更処理の流れを示すフローチャートである。ここでは、図５に示す付加情報が記憶されており、ファイル名が「ファイルＢ．ａａａ」の電子データが更新されて、ファイル名が「ファイルＢ'．ａａａ」とされた場合を例に説明する。第２の付加情報変更処理は、イベントの発生とは関係なく付加情報を変更する処理である。図２０を参照して、コンピュータ４００のユーザがファイルを開いたことが検出される（ステップＳ５１）。そして、そのファイルが修正されたことが検出されると（ステップＳ５２）、ファイルが更新されたものと判断し、図１７のステップＳ０６またはステップＳ０６Ｂで生成され、記憶された付加情報を検索して、更新前のファイルを含む付加情報が抽出される。ここでは、識別番号「１０１１」に関連付けられた付加情報が抽出される。抽出された付加情報の更新ファイル名に、更新後のファイルの名称「ファイルＢ’．ａａａ」が記憶される。これにより、付加情報が変更される（ステップＳ５３）。そして、開いたファイルを閉じ（ステップＳ５４）、処理を終了する。
【０１５１】
このため、ファイルの変更に応じて、そのファイルに関連する付加情報が変更される。
【０１５２】
図２１は、第３の付加情報変更処理の流れを示すフローチャートである。第３の付加情報変更処理もまた、イベントに対応する動作とは関係なく実行される処理である。ここでは、図１６に示した付加情報が記憶されており、現在の年月日が２００４年１月１日であるとして説明する。図を参照して、図１７のステップＳ０６またはステップＳ０６Ｂで生成され、記憶された付加情報が順に読み出される（ステップＳ６１）。そして、読み出した付加情報に定義されている動作のうち、期間制限されている動作があるか否かが判断される（ステップＳ６２）。ある場合にはステップＳ６３に進み、そうでない場合は処理を終了する。ここでは、識別番号が「１０２２」に関連付けられた付加情報が抽出され、ステップＳ６３へ進む。
【０１５３】
ステップＳ６３では、期間が満了しているか否かが判断され、満了している場合にはステップＳ６４へ進み、そうでない場合は処理を終了する。ここでは、付加情報に記述されている期限が「２００３／１２／３１」で、現在の年月日が２００４年１月１日であるので、期間が満了していると判断して、ステップＳ６４に進む。
【０１５４】
ステップＳ６４では、期間が満了している動作を「不許可」に変更する（ステップＳ６４）。このように期間制限されている付加情報は、時間の経過に伴って変更される。
【０１５５】
図２２は、第４の付加情報変更処理の流れを示すフローチャートである。第４の付加情報変更処理もまた、イベントに対応する動作とは関係なく実行される処理である。図２２を参照して、第４の付加情報変更処理では、付加情報を変更する内容を含む入力が検出されたか否かが判断され（ステップＳ７１）、入力された場合にはステップＳ７２へ進み、そうでない場合は処理を終了する。ステップＳ７２では、変更内容の対象となる付加情報に関連するファイルを、所有するユーザであるか否かが判断される（ステップＳ７２）。そのファイルの所有ではなく、そのファイルを管理する権限を有するユーザとしてもよい。ファイルの所有者と判断された場合には、ステップＳ７３に進み、そうでない場合には処理を終了する。
【０１５６】
ステップＳ７３では、ステップＳ７１における変更を受付け、その変更内容に従って付加情報を変更する。
【０１５７】
なお、本実施の形態においては、コンピュータ４００とプリンタ１００とを別体のもととして説明したが、これらを一体としたプリンタであってもよい。また、プリンタ１００と、タブレット３００とを別体のもととして説明したが、これらを一体としたプリンタであってもよい。さらに、コンピュータ４００と、プリンタ１００と、タブレット３００とを一体としたプリンタであってもよい。
【０１５８】
また、用紙１０の識別情報を、用紙１０に付されたＩＣタグ１１に記録するようにしたが、このＩＣタグ１１に代えて、識別情報を、可視光を反射しないインクで画像形成された画像としてもよい。可視光を反射しなければ、用紙１０Ａを複写機で複写しても識別情報を表す画像は複製されないからである。この場合には、プリンタに可視光を反射しないインクで画像形成する機能を付加し、ＩＤタグリーダに代えて、スキャナで識別情報が表された画像を識別するようにすればよい。この場合には、用紙１０にＩＣタグ１１を付す必要はなく、また、ＩＤダグリーダは不用である。
【０１５９】
以上説明したように、第２の実施の形態における文書管理システムによれば、用紙に画像を形成する指示が出力されると、プリントデータに従って画像が形成された用紙の識別情報が取得されたことに応じて、プリントデータおよび識別情報に関連付けてイベントに対応した動作を記述した付加情報が記憶される。このため、同一のプリントデータを画像形成した用紙であっても、用紙ごとに異なる動作をイベントに対応つけることができる。また、取得された識別情報が第１のプリントデータおよび第１の付加情報に関連付けて記憶されていることが検出された場合、第２のプリントデータに従った画像形成指示の入力に基づいて、第２のプリントデータおよび識別情報に関連付けて、第２の付加情報が記憶される。このため、一度画像が形成された用紙を再利用する場合であっても、新たに付加情報を関連付けることができる。そして、一度画像が形成された用紙をトリガーとして、ユーザ所望の動作をコンピュータに実行させることができる。
【０１６０】
また、第２の付加情報が記憶されると、第１のプリントデータおよび第１の付加情報が削除されるので、用紙に第２の付加情報のみが関連付けられる。このため、裏紙として再利用した用紙に先に関連つけられたイベントを無効にすることができる。
【０１６１】
また、イベントの検出に応じて、用紙の識別情報に関連して記憶されている第２の付加情報が読出され、第２の付加情報に記述されているイベントのうち、イベントに対応した動作が実行される。このため、一度画像が形成された用紙をトリガーとして、所望の動作をコンピュータに実行させることができる。
【０１６２】
また、付加情報を変更することができるので、用紙１０Ａをトリガーとして、事情の変化に対応した動作をコンピュータ４００に実行させることが可能な情報管理装置を提供することができる。
【０１６３】
また、付加情報は、３つの共通イベント、および、複数の位置イベントそれぞれに対応して動作を定義するので、１つの用紙１０Ａをトリガとして、コンピュータ４００に複数の動作を実行させることができる。また、タブレット３００を用いれば、３つの共通イベント、および、複数の位置イベントの中から所望のイベントを容易に指定することができる。
【０１６４】
さらに、識別情報が用紙１０Ａに付されたＩＣタグ１１に記憶されるので、用紙１０Ａを確実に識別することができる。
【０１６５】
上述した実施の形態における文書管理システムには、以下の発明が含まれる。
【０１６６】
（１）  前記画像形成手段に供給される前記記録媒体の供給方向を検出する供給方向検出手段をさらに備え、
前記付加情報は、第１プリントデータが画像形成された前記記録媒体のプリント方向を含み、
前記画像形成手段は、前記検出された供給方向と前記抽出された付加情報に含まれる前記プリント方向が、前記第２のプリントデータのプリント方向と異なる場合に警告する警告手段を含む、請求項１に記載の画像形成装置。
【０１６７】
（２）  前記識別情報は、前記記録媒体の対角方向に対応して付された少なくとも２つの半導体装置に記憶され、
前記供給方向検出手段は、前記識別情報取得手段により前記少なくとも２つの半導体装置が検出されるタイミングに基づいて、供給方向を検出する、請求項２に記載の画像形成装置。
【０１６８】
（３）  前記識別情報は、前記記録媒体の対角方向に対応して付された少なくとも２つの半導体装置に記憶され、
前記面方向検出手段は、前記識別情報取得手段により前記少なくとも２つの半導体装置が検出されるタイミングに基づいて、供給方向を検出する、請求項３に記載の画像形成装置。
【０１６９】
（４）  プリントジョブを受信して記憶しておくステップと、
前記記憶されたプリントジョブに従って、記録媒体に画像形成する指示を出力するステップと、
前記記録媒体を識別するための識別情報を取得するステップと、
前記プリントジョブに含まれる両面プリント指示を検出し、前記記録媒体の一方の面に画像形成する第１プリントデータと他方の面に画像形成する第２プリントデータとを決定して付加情報を生成するステップと、
前記第１プリントデータを前記記録媒の一方の面に画像形成する指示を出力して、前記記録媒体の識別情報と前記付加情報とを関連付けて記憶するステップと、
前記取得された識別情報に関連する付加情報が既に記憶されている場合に、該付加情報で特定される前記第１プリントデータに対応する前記第２プリントデータを前記記録媒体の他方の面に画像形成する指示を出力するステップとをコンピュータに実行させる、文書管理プログラム。
【０１７０】
（５）  前記画像形成指示手段による画像形成指示に応じて、前記記録媒体に画像を形成する画像形成装置をさらに備えた、請求項７に記載の情報管理装置。
【０１７１】
（６）  前記付加情報は、複数のイベントそれぞれに対応して動作を記述した情報であり、
前記複数のイベントは、前記記録媒体の位置に依存するイベントと、位置に依存しないイベントとを含む、請求項７に記載の情報管理装置。
【０１７２】
この発明に従えば、複数のイベントそれぞれに対応して動作が記述されるので、１つの記録媒体をトリガとして、複数の動作を実行させることができる。また、記録媒体の位置に依存するイベントと、位置に依存しないイベントとを含むので、複数のイベントのうちから所望のイベントを容易に指定することができる。
【０１７３】
（７）  前記検出手段により記憶されていることが検出された場合、前記記録媒体に既に前記第１の電子データに従って画像が形成されていることを報知する報知手段をさらに備えた、請求項７に記載の情報管理装置。
【０１７４】
この発明に従えば、取得された識別情報が既に記憶されていることが検出されると、記録媒体に既に第１の電子データに従って画像が形成されていることが報知されるので、誤操作を防止することができる。
【０１７５】
（８）  前記識別情報は、前記記録媒体に付された半導体装置に記憶される、請求項７に記載の情報管理装置。
【０１７６】
この発明に従えば、識別情報が記録媒体に付された半導体装置に記憶されるので、記録媒体を確実に識別することができる。
【０１７７】
（９）  与えられた電子データに従って、前記記録媒体に画像を形成する指示を出力するステップと、
記録媒体を識別するための識別情報を取得するステップと、
前記電子データに従って画像が形成された記録媒体の識別情報が取得されたことに応じて、前記電子データおよび前記識別情報に関連付けて、イベントに対応した動作を記述した付加情報を記憶するステップと、
前記識別情報取得ステップにより取得された識別情報が第１の電子データおよび第１の付加情報に関連付けて記憶されているか否かを検出するステップと、
前記検出ステップにより記憶されていることが検出された場合、第２の電子データに従った画像形成指示の出力に応じて、前記第２の電子データおよび前記識別情報に関連付けて、第２の付加情報を記憶するステップとをコンピュータに実行させる、文書管理プログラム。
【０１７８】
（１０）  与えられた電子データに従って、前記記録媒体に画像を形成する指示を出力するステップと、
記録媒体を識別するための識別情報を取得するステップと、
前記電子データに従って画像が形成された記録媒体の識別情報が取得されたことに応じて、前記電子データおよび前記識別情報に関連付けて、イベントに対応した動作を記述した付加情報を記憶するステップと、
前記識別情報取得ステップにより取得された識別情報が第１の電子データおよび第１の付加情報に関連付けて記憶されているか否かを検出するステップと、
前記検出ステップにより記憶されていることが検出された場合、第２の電子データに従った画像形成指示の出力に応じて、前記第２の電子データおよび前記識別情報に関連付けて、第２の付加情報を記憶するステップとを含む、文書管理方法。
【０１７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１８０】
【図１】本発明の第１の実施の形態におけるプリントシステムの全体概要を示す図である。
【図２】本実施の形態におけるＭＦＰの概略構成を示す模式的断面図である。
【図３】図１のＭＦＰの備える操作パネルの平面図である。
【図４】本実施の形態におけるＭＦＰの制御部の機能の概要を示す機能ブロック図である。
【図５】本実施の形態におけるＭＦＰで生成される付加情報の一例を示す図である。
【図６】中とじ本のページ仕立ての両面プリントを説明するための図である。
【図７】本実施の形態におけるＭＦＰで生成される付加情報の別の例を示す図である。
【図８】ＩＣタグリーダの配置と、用紙の搬送方向および面方向を説明するための図である。
【図９】検出される供給方向および面方向を示す図である。
【図１０】本実施の形態におけるＭＦＰで実行される処理の流れを示すフローチャートである。
【図１１】本発明の第２の実施の形態における文書管理システムの全体概要を示す図である。
【図１２】タブレットとそれによる位置イベントの指示を説明するための図である。
【図１３】電子データと付加情報との関係を説明するための図である。
【図１４】図１３（Ａ）に示した例において生成される付加情報を示す図である。
【図１５】図１３（Ｂ）に示した例において生成される付加情報を示す図である。
【図１６】図１３（Ｃ）に示した例において生成される付加情報を示す図である。
【図１７】第２の実施の形態における文書管理システムで実行される付加情報生成処理の流れを示すフローチャートである。
【図１８】本実施の形態における文書管理システムで実行されるイベント処理の流れを示すフローチャートである。
【図１９】図１８のステップＳ２５で実行される付加情報変更処理の流れを示すフローチャートである。
【図２０】第２の付加情報変更処理の流れを示すフローチャートである。
【図２１】第３の付加情報変更処理の流れを示すフローチャートである。
【図２２】第４の付加情報変更処理の流れを示すフローチャートである。
【符号の説明】
【０１８１】
１  文書管理システム、１１  ＩＣタグ、３０  ネットワーク、１００  プリンタ、１０１，３１０  ＩＣタグリーダ、１０１  プリンタ、３００  タブレット、３０１  表示部、３０３  座標入力装置、３０４  ペン、３０２Ａ，３０２Ｂ，３０２Ｃ  共通イベント発生ボタン、４００  コンピュータ、５００  プリントシステム、５０１  ＭＦＰ、５０３  ネットワーク、５０６  メモリカード、５１０  制御部、５１１  供給方向検出部、５１２  面方向検出部、５１３  識別情報取得部、５１４  付加情報生成部、５１５  記憶部、５１６  プリントデータ生成部、５１７  プリントジョブ受信部、５２０  イメージリーダ部、５３０  プリンタ部、５６０  通信部、５７０  操作パネル、３０２Ａ，３０２Ｂ，３０２Ｃ  共通イベント発生ボタン、５０４Ａ，５０４Ｂ  ユーザ用コンピュータ、５５０Ａ，５５０Ｂ  ＩＣタグリーダ、５８０，５８０Ａ，５８０Ｂ  用紙、５８１Ａ，５８１Ｂ  ＩＣタグ、５０４Ａ，５０４Ｂ  ユーザ用コンピュータ。
【図１】
2005115688.tif 000003
【図２】
2005115688.tif 000004
【図３】
2005115688.tif 000005
【図４】
2005115688.tif 000006
【図５】
2005115688.tif 000007
【図６】
2005115688.tif 000008
【図７】
2005115688.tif 000009
【図８】
2005115688.tif 000010
【図９】
2005115688.tif 000011
【図１０】
2005115688.tif 000012
【図１１】
2005115688.tif 000013
【図１２】
2005115688.tif 000014
【図１３】
2005115688.tif 000015
【図１４】
2005115688.tif 000016
【図１５】
2005115688.tif 000017
【図１６】
2005115688.tif 000018
【図１７】
2005115688.tif 000019
【図１８】
2005115688.tif 000020
【図１９】
2005115688.tif 000021
【図２０】
2005115688.tif 000022
【図２１】
2005115688.tif 000023
【図２２】
2005115688.tif 000024